(57)【要約】【課題】本発明の課題は、刈取入力軸を動力で逆回転させる刈取逆転レバーを設け、刈取逆転レバーを刈取入力軸が逆転する伝動入り方向に操作すると、刈取クラッチレバーを強制的に刈取クラッチ切り位置に戻す手段を設けたり、刈取部の回転速度を低速側に切り替える手段を設けたりすることで、逆転作業操作の容易化、安全性の向上を図ることを目的とする。【解決手段】 本発明は、刈取部（８）の刈取入力軸（１６）への回転動力を入り切り操作する刈取クラッチレバー（１７）と、刈取入力軸を逆転伝動するよう操作可能に連動構成した刈取逆転レバー（１８）を備え、前記刈取逆転レバー（１８）を刈取逆転伝動入り方向に操作すると、この操作に関連して刈取クラッチレバー（１７）を刈取クラッチ切り位置に戻す手段（２３）を設ける。【選択図】  図３
2016187306.tif 000002
【特許請求の範囲】
【請求項１】
刈取部（８）の刈取入力軸（１６）への回転動力を入り切り操作する刈取クラッチレバー（１７）と、刈取入力軸を逆転伝動するよう操作可能に連動構成した刈取逆転レバー（１８）を備え、前記刈取逆転レバー（１８）を刈取逆転伝動入り方向に操作すると、この操作に関連して刈取クラッチレバー（１７）を刈取クラッチ切り位置に戻す手段（２３）を設けてあることを特徴とするコンバイン。
【請求項２】
前記刈取逆転レバー（１８）の刈取逆転伝動入り操作に関連して刈取部（８）の回転速度を低速側に切り替えるべく連動構成してあることを特徴とする請求項１記載のコンバイン。
【請求項３】
前記刈取逆転レバー（１８）の刈取逆転伝動入り操作に関連してエンジン回転を低速側に切り替える手段（２６）を設けてあることを特徴とする請求項１又は請求項２記載のコンバイン。
【請求項４】
前記刈取逆転レバー（１８）は、側面視でアクセルレバー（１９）と刈取クラッチレバー（１７）との間に位置し、且つ、平面視ではアクセルレバー（１９）及び刈取クラッチレバー（１７）位置よりも運転席側から最も遠い横外側方に配置してあることを特徴とする請求項１又は請求項２又は請求項３記載のコンバイン。
【発明の詳細な説明】
【技術分野】
【０００１】
この発明は、稲麦や菜種等の茎稈を刈り取って収穫するコンバインに関する。
【背景技術】
【０００２】
従来のコンバインは、刈取り部に正回転駆動力を伝達する正回転クラッチと、逆回転駆動力を伝達する逆回転クラッチと、正回転クラッチ、逆回転クラッチを別個に操作する操作部を備えている（例えば、特許文献１）。
【先行技術文献】
【特許文献】
【０００３】
【特許文献１】特開２０１３−９９３５４号公報
【発明の概要】
【発明が解決しようとする課題】
【０００４】
上記のコンバインは、正回転クラッチが入り状態にあると逆回転クラッチの入り状態への切換えが牽制されるが、このような場合に逆回転クラッチを入り状態とするためには、正回転クラッチの切り操作と逆回転クラッチの入り操作が必要であり、操作手順が多いという問題があった。
【課題を解決するための手段】
【０００５】
この発明は、上記課題を解決すべく次のような技術的手段を講じた。
【０００６】
すなわち、請求項１記載の発明は、刈取部（８）の刈取入力軸（１６）への回転動力を入り切り操作する刈取クラッチレバー（１７）と、刈取入力軸を逆転伝動するよう操作可能に連動構成した刈取逆転レバー（１８）を備え、前記刈取逆転レバー（１８）を刈取逆転伝動入り方向に操作すると、この操作に関連して刈取クラッチレバー（１７）を刈取クラッチ切り位置に戻す手段（２３）を設けてあることを特徴とする。
【０００７】
作業中、刈取搬送部に詰りが生じた場合、刈取搬送部を逆転させて詰った作物を除去する。この場合には、刈取逆転レバー（１８）を刈取入力軸（１６）が逆転する伝動入り方向に操作すると、つまり、刈取逆転レバーを後方傾斜から前方傾斜方向へ操作すると、逆転テンションプーリ（２２）が作動して刈取入力軸が逆転伝動入り状態となる。この時、刈取クラッチレバー（１８）が刈取クラッチ入り状態にある場合には、刈取逆転レバーの逆転入り操作に関連して刈取クラッチレバー（１７）がクラッチ切方向へ強制的に押し戻される。
【０００８】
従って、刈取搬送部、例えば、フィードコンベアに詰った作物は、これの逆転によって容易に除去することができる。また、この時、刈取部を動力で逆転させるにも拘わらず、刈取クラッチレバーは、入り状態にあっても強制的に切り方向に押し戻されるため安全である。
【０００９】
請求項２記載の発明は、請求項１において、前記刈取逆転レバー（１８）の刈取逆転伝動入り操作に関連して刈取部（８）の回転速度を低速側に切り替えるべく連動構成してあることを特徴とする。
【００１０】
上記構成によると、刈取部の回転速度は、刈取作業時の回転速度よりも低速に切り替えられるため、高速回転による無理な負荷がかからず、逆転作業時の安全性が確保される。
【００１１】
請求項３記載の発明は、請求項１又は請求項２において、前記刈取逆転レバー（１８）の刈取逆転伝動入り操作に関連してエンジン回転を低速側に切り替える手段（２６）を設けてあることを特徴とする。
【００１２】
刈取逆転レバー（１８）を刈取逆転伝動入り方向に操作すると、エンジン回転速度を制御するアクセルレバー（１９）が低速回転側に戻され、エンジン回転が低速側に切り替えられて、刈取回転速度は所定値まで低下する。刈取逆転時の回転速度制御は、エンジンの回転制御によるため、特別な減速手段や変速手段を用いることなく利用でき、安価に実施することができる。
【００１３】
請求項４記載の発明は、請求項１又は請求項２又は請求項３において、前記刈取逆転レバー（１８）は、側面視でアクセルレバー（１９）と刈取クラッチレバー（１７）との間に位置し、且つ、平面視ではアクセルレバー（１９）及び刈取クラッチレバー（１７）位置よりも運転席側から最も遠い横外側方に配置してあることを特徴とする。
【００１４】
上記構成によると、通常作業では干渉しない位置に配置されているので、各レバーの操作が容易で誤操作を防止することができる。
【発明の効果】
【００１５】
請求項１記載の発明によれば、刈取逆転レバーの操作で、刈取部を逆転させることで詰った作物を取り除くことができ、しかも、この刈取逆転入り時には、刈取クラッチが入り時にあっても、必ず刈取クラッチレバーを切り方向に戻すので、安全かつ簡単に操作を行うことができる。
【００１６】
請求項２記載の発明によれば、請求項１記載の発明の効果に加えて、刈取逆転入り操作に関連して、刈取部の回転速度を低速に戻すので、無理な負荷がかからず、安全性がより向上する。
【００１７】
請求項３記載の発明によれば、請求項１又は請求項２記載の発明の効果に加えて、刈取逆転入り時における回転速度制御は、アクセルレバーを低速側に戻すエンジン回転速度制御によるため、特別な減速手段や変速手段を用いることなく利用でき、安価に実施することができる。
【００１８】
請求項４記載の発明によれば、請求項１又は請求項２又は請求項３記載の発明の効果に加えて、刈取逆転レバーは、側面視でアクセルレバーと刈取クラッチレバーと間に配置され、且つ、平面視では運転席側から最も遠い横外側方に配置されるので、通常の作業では干渉なく容易に操作でき、誤操作を防止することができる。
【図面の簡単な説明】
【００１９】
【図１】汎用コンバインの側面図
【図２】汎用コンバインの正面図
【図３】刈取クラッチレバー、刈取逆転レバー、アクセルレバーの操作機構を示す側面図
【図４】逆転テンションの操作機構を示す側面図
【図５】刈取逆転レバーとアクセルレバーの操作連動機構を示す側面図
【図６】刈取クラッチレバー、刈取逆転レバー、アクセルレバー等の配置関係を示す平面図
【図７】別実施例を示す汎用コンバインの側面図
【図８】同上正面図
【図９】別例汎用コンバインの正面図
【図１０】コンバイン操作部の要部の側面図
【図１１】同上要部の正面図
【図１２】従来例を示すコンバイン要部の正面図
【図１３】本例を示す同上要部の平面図
【図１４】ベルトストッパを備えたベルト伝動機要部の側面図
【図１５】同上要部の正面図
【図１６】汎用コンバインの側面図
【発明を実施するための形態】
【００２０】
この発明の実施例を図面に基づき説明する。
【００２１】
図１及び図２は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断するバリカン式の横向き刈刃装置５と刈取後の茎稈をテーブル６上に掻き込む掻込オーガ７等からなる刈取前処理部８を備えている。
【００２２】
刈取前処理部８の左側から後方にわたって装備されたフィーダハウス１０内には、刈取前処理部からの作物茎稈を受け継いで後方上方に揚上搬送して脱穀部９内に供給するフィードコンベア１１が装備されている。フィーダハウス１０の右側には、運転席１２、運転席前側のフロント操作ボックス１３、運転席横側のサイド操作ボックス１４等からなる運転操作部が装備され、運転操作部の後方には収穫物を一時的に貯留するグレンタンク１５が設置されている。
【００２３】
サイド操作ボックス１４上には、刈取前処理部８のフィードコンベア１１終端に架設された刈取入力軸１６への回転動力を入り切り操作する刈取クラッチレバー１７と、刈取入力軸１６を逆転駆動すべく操作可能に連動構成された刈取逆転レバー１８が装備されている。
【００２４】
刈取逆転レバー１８は、後方傾斜状態から前方傾斜方向に操作すると、回動アーム２０を介してケーブル２１を引き、逆転テンションプーリ２２の入り操作で、刈取入力軸１６を逆転駆動するように連動構成されている。そして、この刈取逆転レバーの刈取逆転伝動入り操作に関連して刈取クラッチレバー１７がクラッチ入り位置にある場合には強制的に刈取クラッチ切り位置に戻すよう連動構成している。つまり、刈取逆転レバー１８を逆転伝動入り方向に操作すると、刈取逆転レバーに設けたアームピン２３により強制的に刈取クラッチレバー１７を戻し、作動アーム２４、クラッチワイヤ２５を介して刈取クラッチを切りにする構成になっている。
【００２５】
また、刈取逆転レバーを刈取逆転伝動入り方向に操作すると、これに関連して刈取部の回転速度が低速側に切り替わるよう連動構成している。つまり、その切替手段は、減速機構或いは高低ベルト式変速機構などを介して刈取作業時の適正回転速度と逆転作業時の低速回転速度に切り替えるものであってもよいが、本例では、刈取逆転レバー１８を刈取逆転伝動入り方向に操作すると、エンジン回転速度を制御するアクセルレバー１９が逆転レバー１８に設けられたカム体２６の作動により強制的に低速回転側に戻されて、エンジン回転が低速側に切り替るようになっている。
【００２６】
図３において、刈取逆転レバー１８は、側面視で前側のアクセルレバー１９と後側の刈取クラッチレバー１７との間に配置され、また、図６に示すように平面視では運転席側に近い内側のアクセルレバー１９及び刈取クラッチレバー１７よりも横外側方に配置している。
【００２７】
図７及び図８に示す実施例は、エアクリーナ３０とプレクリーナ３１を分離させ、１番揚穀筒３３上部の支持ステー３４でプレクリーナ３１のみを保持し、エアクリーナ３０は、運転席１２後部のリヤフレームに固定し、ホース３２で連結した構成としている。従来のプレクリーナとエアクリーナの一体化に比べプレクリーナの振動による部品の破損低減並びに振動・騒音低減化を図ることができる。  なお、図９例に示すように、プレクリーナ３１のみをオーガ受け３５に支持部材３６でもって連結保持させる構成であっても上記同様の効果が発揮できる。
【００２８】
図１０及び図１１に示す実施例は、排出オーガを昇降並びに旋回操作するオーガ操作レバー３７とタンク内の穀粒を排出する排出レバー３８を支持する支持プレート３９は、運転席や操作パネル４０、走行フレームや脱穀機枠４１を連結プレート４２を介して連結するリヤフレーム４３に取り付けた構成としている。これによると、各部材の取付構成が強固に保持される。
【００２９】
図１２の従来例で示すように、扱胴軸４５への脱穀カウンタプーリ４６が左側に、刈取入力軸への刈取カウンタプーリ４７が右側に位置するように配置され、そして、刈取入力ベルト４８を入り切りする刈取クラッチテンションアーム４９がその右外側に配置されていた。これに対し、本例では、図１３例に示すように、脱穀カウンタプーリ４６と刈取カウンタプーリ４７を従来とは左右逆に配置し、刈取クラッチテンションアーム４９をプーリ４７と刈取入力軸プーリ４６ａとの間に掛け渡す刈取入力ベルト４８の左内側に配置した構成としている。これによると、刈取クラッチテンションアームの回動支点軸や刈取入力軸の短縮化、構成のコンパクト化、外装カバーの小幅化を図ることができる。
【００３０】
図１４及び図１５に示すように、脱穀側伝動プーリ５０ベルトストッパ５１において、従来はプーリ５０の上下に各ストッパ５１ａ，５１ｂを独立的に配置して取り付けていたが、本例では、図例のように、上下２つのベルトストッパ５１ａ，５１ｂを一体化することで、取付構成の簡易化を図ることができた。
【００３１】
なお、図１６例は、ラジエータカバー５２の前方側面に配置した昇降用ハンドル５３を示すものであるが、図例では、このハンドル５３を地上より規定の配置するため、取っ手部を下方へ長く延設させた構成としている。
【符号の説明】
【００３２】
８    刈取部（刈取前処理部）
１１    フィードコンベア
１６    刈取入力軸
１７    刈取クラッチレバー
１８    刈取逆転レバー
１９    アクセルレバー
２０    回動アーム
２１    ケーブル
２２    逆転テンションプーリ
２３    アームピン  
２４    作動アーム
２５    クラッチワイヤ
２６    カム体
【図１】
2016187306.tif 000003
【図２】
2016187306.tif 000004
【図３】
2016187306.tif 000005
【図４】
2016187306.tif 000006
【図５】
2016187306.tif 000007
【図６】
2016187306.tif 000008
【図７】
2016187306.tif 000009
【図８】
2016187306.tif 000010
【図９】
2016187306.tif 000011
【図１０】
2016187306.tif 000012
【図１１】
2016187306.tif 000013
【図１２】
2016187306.tif 000014
【図１３】
2016187306.tif 000015
【図１４】
2016187306.tif 000016
【図１５】
2016187306.tif 000017
【図１６】
2016187306.tif 000018